【手続補正書】
【提出日】平成30年5月22日(2018.5.22)
【手続補正１】
【補正対象書類名】特許請求の範囲
【補正対象項目名】全文
【補正方法】変更
【補正の内容】
【特許請求の範囲】
【請求項１】
通信装置、及び、情報処理装置の外部且つ前記通信装置の外部の外部アクセスポイントと通信する情報処理装置の制御方法であって、
前記通信装置の接続設定処理を開始するための所定の操作が行われたことを検知する検知ステップと、
前記情報処理装置が、前記外部アクセスポイントと接続している状態で、前記所定の操作が行われた場合、前記所定の操作が行われた時に前記情報処理装置が接続している前記外部アクセスポイントに関する情報を、前記通信装置に無線で送信する送信ステップと、
を有し、
前記所定の操作が行われた時に前記情報処理装置が接続している前記外部アクセスポイントに関する情報が、前記通信装置に送信された場合、前記通信装置は、前記所定の操作が行われた時に前記情報処理装置が接続している前記外部アクセスポイントとの接続を確立することを特徴とする制御方法。
【請求項２】
前記通信装置と前記情報処理装置との間の無線接続を確立する確立ステップをさらに有し、
前記通信装置と前記情報処理装置との間の前記無線接続により、前記所定の操作が行われた時に前記情報処理装置が接続している前記外部アクセスポイントに関する情報が、前記通信装置に送信されることを特徴とする請求項１に記載の制御方法。
【請求項３】
前記通信装置と前記情報処理装置との間の前記無線接続は、Ｗｉ−Ｆｉによる接続であることを特徴とする請求項２に記載の制御方法。
【請求項４】
前記通信装置と前記情報処理装置との間の前記無線接続は、Ｂｌｕｅｔｏｏｔｈによる接続であることを特徴とする請求項２に記載の制御方法。
【請求項５】
前記通信装置と前記情報処理装置との間の前記無線接続は、前記外部アクセスポイントを介さないダイレクトな接続であることを特徴とする請求項２乃至４のいずれか１項に記載の制御方法。
【請求項６】
前記所定の操作が行われた場合、前記所定の操作が行われた時に前記情報処理装置が接続している前記外部アクセスポイントとの所定の通信方式による接続を切断する切断ステップをさらに有し、
前記通信装置と前記情報処理装置との間の前記無線接続は、前記所定の操作が行われた時に前記情報処理装置が接続している前記外部アクセスポイントとの前記所定の通信方式による接続が切断された後に確立される、前記通信装置との前記所定の通信方式による接続であることを特徴とする請求項２乃至４のいずれか１項に記載の制御方法。
【請求項７】
前記通信装置と前記情報処理装置との間の前記無線接続により、前記所定の操作が行われた時に前記情報処理装置が接続している前記外部アクセスポイントに関する情報が、前記通信装置に送信された後、前記所定の操作が行われた時に前記情報処理装置が接続している前記外部アクセスポイントとの前記所定の通信方式による接続を再度確立する再確立ステップをさらに有することを特徴とする請求項６に記載の制御方法。
【請求項８】
前記情報処理装置が、前記外部アクセスポイントとＷｉ−Ｆｉによって接続している状態で、前記所定の操作が行われた場合、前記所定の操作が行われた時に前記情報処理装置がＷｉ−Ｆｉによって接続している前記外部アクセスポイントに関する情報が、前記通信装置に送信されることを特徴とする請求項１乃至７のいずれか１項に記載の制御方法。
【請求項９】
前記所定の操作が行われた時に前記情報処理装置が接続している前記外部アクセスポイントに関する情報が、前記通信装置に送信された場合、前記通信装置は、前記所定の操作が行われた時に前記情報処理装置が接続している前記外部アクセスポイントとの、Ｗｉ−Ｆｉによる接続を確立することを特徴とする請求項１乃至８のいずれか１項に記載の制御方法。
【請求項１０】
前記所定の操作は、前記情報処理装置が表示する所定の画面に対する操作であることを特徴とする請求項１乃至９のいずれか１項に記載の制御方法。
【請求項１１】
前記外部アクセスポイントと接続するためのパスワードの入力をユーザから受け付ける受け付けステップと、
入力された前記パスワードを、前記通信装置に送信する送信ステップと、
をさらに有することを特徴とする請求項１乃至１０のいずれか１項に記載の制御方法。
【請求項１２】
前記所定の操作が行われた時に前記情報処理装置が接続している前記外部アクセスポイントに関する情報が送信される場合は、前記所定の操作が行われた後に前記パスワードの入力を前記ユーザから受け付けること無しに、前記外部アクセスポイントに関する情報が送信され、
前記所定の操作が行われた時に前記情報処理装置が接続していない前記外部アクセスポイントに関する情報が送信される場合は、前記所定の操作が行われた後に前記パスワードの入力を前記ユーザから受け付けることで、前記外部アクセスポイントに関する情報が送信されることを特徴とする請求項１１に記載の制御方法。
【請求項１３】
前記所定の操作が行われた時に前記情報処理装置が接続している前記外部アクセスポイントに関する情報は、前記所定の操作が行われた時に前記情報処理装置が接続している前記外部アクセスポイントのＳＳＩＤであることを特徴とする請求項１乃至１２のいずれか１項に記載の制御方法。
【請求項１４】
前記通信装置は、印刷装置であることを特徴とする請求項１乃至１３のいずれか１項に記載の制御方法。
【請求項１５】
前記所定の操作が行われた時に前記情報処理装置が接続している前記外部アクセスポイントに関する情報が、前記接続設定処理を実行するための所定のアプリケーションが前記情報処理装置において起動している状態で前記通信装置に送信されることを特徴とする請求項１乃至１４のいずれか１項に記載の制御方法。
【請求項１６】
通信装置、及び、情報処理装置の外部且つ前記通信装置の外部の外部アクセスポイントと通信する情報処理装置であって、
前記通信装置の接続設定処理を開始するための所定の操作が行われたことを検知する検知手段と、
前記情報処理装置が、前記外部アクセスポイントと接続している状態で、前記所定の操作が行われた場合、前記所定の操作が行われた時に前記情報処理装置が接続している前記外部アクセスポイントに関する情報を、前記通信装置に無線で送信する送信手段と、
を有し、
前記所定の操作が行われた時に前記情報処理装置が接続している前記外部アクセスポイントに関する情報が、前記通信装置に送信された場合、前記通信装置は、前記所定の操作が行われた時に前記情報処理装置が接続している前記外部アクセスポイントとの接続を確立することを特徴とする情報処理装置。
【請求項１７】
前記通信装置と前記情報処理装置との間の無線接続を確立する確立手段をさらに有し、
前記通信装置と前記情報処理装置との間の前記無線接続により、前記所定の操作が行われた時に前記情報処理装置が接続している前記外部アクセスポイントに関する情報が、前記通信装置に送信されることを特徴とする請求項１６に記載の情報処理装置。
【請求項１８】
前記通信装置と前記情報処理装置との間の前記無線接続は、Ｗｉ−Ｆｉによる接続であることを特徴とする請求項１７に記載の情報処理装置。
【請求項１９】
前記通信装置と前記情報処理装置との間の前記無線接続は、Ｂｌｕｅｔｏｏｔｈによる接続であることを特徴とする請求項１７に記載の情報処理装置。
【請求項２０】
前記通信装置と前記情報処理装置との間の前記無線接続は、前記外部アクセスポイントを介さないダイレクトな接続であることを特徴とする請求項１７乃至１９のいずれか１項に記載の情報処理装置。
【請求項２１】
前記所定の操作が行われた場合、前記所定の操作が行われた時に前記情報処理装置が接続している前記外部アクセスポイントとの所定の通信方式による接続を切断する切断手段をさらに有し、
前記通信装置と前記情報処理装置との間の前記無線接続は、前記所定の操作が行われた時に前記情報処理装置が接続している前記外部アクセスポイントとの前記所定の通信方式による接続が切断された後に確立される、前記通信装置との前記所定の通信方式による接続であることを特徴とする請求項１７乃至２０のいずれか１項に記載の情報処理装置。
【請求項２２】
前記通信装置と前記情報処理装置との間の前記無線接続により、前記所定の操作が行われた時に前記情報処理装置が接続している前記外部アクセスポイントに関する情報が、前記通信装置に送信された後、前記所定の操作が行われた時に前記情報処理装置が接続している前記外部アクセスポイントとの前記所定の通信方式による接続を再度確立する再確立手段をさらに有することを特徴とする請求項２１に記載の情報処理装置。
【請求項２３】
前記情報処理装置が、前記外部アクセスポイントとＷｉ−Ｆｉによって接続している状態で、前記所定の操作が行われた場合、前記所定の操作が行われた時に前記情報処理装置がＷｉ−Ｆｉによって接続している前記外部アクセスポイントに関する情報が、前記通信装置に送信されることを特徴とする請求項１６乃至２２のいずれか１項に記載の情報処理装置。
【請求項２４】
前記所定の操作が行われた時に前記情報処理装置が接続している前記外部アクセスポイントに関する情報が、前記通信装置に送信された場合、前記通信装置は、前記所定の操作が行われた時に前記情報処理装置が接続している前記外部アクセスポイントとの、Ｗｉ−Ｆｉによる接続を確立することを特徴とする請求項１６乃至２３のいずれか１項に記載の情報処理装置。
【請求項２５】
前記所定の操作は、前記情報処理装置が表示する所定の画面に対する操作であることを特徴とする請求項１６乃至２４のいずれか１項に記載の情報処理装置。
【請求項２６】
前記外部アクセスポイントと接続するためのパスワードの入力をユーザから受け付ける受け付け手段と、
入力された前記パスワードを、前記通信装置に送信する送信手段と、
をさらに有することを特徴とする請求項１６乃至２５のいずれか１項に記載の情報処理装置。
【請求項２７】
前記所定の操作が行われた時に前記情報処理装置が接続している前記外部アクセスポイントに関する情報が送信される場合は、前記所定の操作が行われた後に前記パスワードの入力を前記ユーザから受け付けること無しに、前記外部アクセスポイントに関する情報が送信され、
前記所定の操作が行われた時に前記情報処理装置が接続していない前記外部アクセスポイントに関する情報が送信される場合は、前記所定の操作が行われた後に前記パスワードの入力を前記ユーザから受け付けることで、前記外部アクセスポイントに関する情報が送信されることを特徴とする請求項２６に記載の情報処理装置。
【請求項２８】
前記所定の操作が行われた時に前記情報処理装置が接続している前記外部アクセスポイントに関する情報は、前記所定の操作が行われた時に前記情報処理装置が接続している前記外部アクセスポイントのＳＳＩＤであることを特徴とする請求項１６乃至２７のいずれか１項に記載の情報処理装置。
【請求項２９】
前記通信装置は、印刷装置であることを特徴とする請求項１６乃至２８のいずれか１項に記載の情報処理装置。
【請求項３０】
前記所定の操作が行われた時に前記情報処理装置が接続している前記外部アクセスポイントに関する情報が、前記接続設定処理を実行するための所定のアプリケーションが前記情報処理装置において起動している状態で前記通信装置に送信されることを特徴とする請求項１６乃至２９のいずれか１項に記載の情報処理装置。
【請求項３１】
通信装置、及び、情報処理装置の外部且つ前記通信装置の外部の外部アクセスポイントと通信する情報処理装置のコンピュータに、
前記通信装置の接続設定処理を開始するための所定の操作が行われたことを検知する検知ステップと、
前記情報処理装置が、前記外部アクセスポイントと接続している状態で、前記所定の操作が行われた場合、前記所定の操作が行われた時に前記情報処理装置が接続している前記外部アクセスポイントに関する情報を、前記通信装置に無線で送信する送信ステップと、
を実行させ、
前記所定の操作が行われた時に前記情報処理装置が接続している前記外部アクセスポイントに関する情報が、前記通信装置に送信された場合、前記通信装置は、前記所定の操作が行われた時に前記情報処理装置が接続している前記外部アクセスポイントとの接続を確立することを特徴とするプログラム。
【請求項３２】
前記コンピュータに、
前記通信装置と前記情報処理装置との間の無線接続を確立する確立ステップをさらに実行させ、
前記通信装置と前記情報処理装置との間の前記無線接続により、前記所定の操作が行われた時に前記情報処理装置が接続している前記外部アクセスポイントに関する情報が、前記通信装置に送信されることを特徴とする請求項３１に記載のプログラム。
【請求項３３】
前記通信装置と前記情報処理装置との間の前記無線接続は、Ｗｉ−Ｆｉによる接続であることを特徴とする請求項３２に記載のプログラム。
【請求項３４】
前記通信装置と前記情報処理装置との間の前記無線接続は、Ｂｌｕｅｔｏｏｔｈによる接続であることを特徴とする請求項３２に記載のプログラム。
【請求項３５】
前記通信装置と前記情報処理装置との間の前記無線接続は、前記外部アクセスポイントを介さないダイレクトな接続であることを特徴とする請求項３２乃至３４のいずれか１項に記載のプログラム。
【請求項３６】
前記コンピュータに、
前記所定の操作が行われた場合、前記所定の操作が行われた時に前記情報処理装置が接続している前記外部アクセスポイントとの所定の通信方式による接続を切断する切断ステップをさらに実行させ、
前記通信装置と前記情報処理装置との間の前記無線接続は、前記所定の操作が行われた時に前記情報処理装置が接続している前記外部アクセスポイントとの前記所定の通信方式による接続が切断された後に確立される、前記通信装置との前記所定の通信方式による接続であることを特徴とする請求項３２乃至３４のいずれか１項に記載のプログラム。
【請求項３７】
前記コンピュータに、
前記通信装置と前記情報処理装置との間の前記無線接続により、前記所定の操作が行われた時に前記情報処理装置が接続している前記外部アクセスポイントに関する情報が、前記通信装置に送信された後、前記所定の操作が行われた時に前記情報処理装置が接続している前記外部アクセスポイントとの前記所定の通信方式による接続を再度確立する再確立ステップをさらに実行させることを特徴とする請求項３６に記載のプログラム。
【請求項３８】
前記情報処理装置が、前記外部アクセスポイントとＷｉ−Ｆｉによって接続している状態で、前記所定の操作が行われた場合、前記所定の操作が行われた時に前記情報処理装置がＷｉ−Ｆｉによって接続している前記外部アクセスポイントに関する情報が、前記通信装置に送信されることを特徴とする請求項３１乃至３７のいずれか１項に記載のプログラム。
【請求項３９】
前記所定の操作が行われた時に前記情報処理装置が接続している前記外部アクセスポイントに関する情報が、前記通信装置に送信された場合、前記通信装置は、前記所定の操作が行われた時に前記情報処理装置が接続している前記外部アクセスポイントとの、Ｗｉ−Ｆｉによる接続を確立することを特徴とする請求項３１乃至３８のいずれか１項に記載のプログラム。
【請求項４０】
前記所定の操作は、前記情報処理装置が表示する所定の画面に対する操作であることを特徴とする請求項３１乃至３９のいずれか１項に記載のプログラム。
【請求項４１】
前記コンピュータに、
前記外部アクセスポイントと接続するためのパスワードの入力をユーザから受け付ける受け付けステップと、
入力された前記パスワードを、前記通信装置に送信する送信ステップと、
をさらに実行させることを特徴とする請求項３１乃至４０のいずれか１項に記載のプログラム。
【請求項４２】
前記所定の操作が行われた時に前記情報処理装置が接続している前記外部アクセスポイントに関する情報が送信される場合は、前記所定の操作が行われた後に前記パスワードの入力を前記ユーザから受け付けること無しに、前記外部アクセスポイントに関する情報が送信され、
前記所定の操作が行われた時に前記情報処理装置が接続していない前記外部アクセスポイントに関する情報が送信される場合は、前記所定の操作が行われた後に前記パスワードの入力を前記ユーザから受け付けることで、前記外部アクセスポイントに関する情報が送信されることを特徴とする請求項４１に記載のプログラム。
【請求項４３】
前記所定の操作が行われた時に前記情報処理装置が接続している前記外部アクセスポイントに関する情報は、前記所定の操作が行われた時に前記情報処理装置が接続している前記外部アクセスポイントのＳＳＩＤであることを特徴とする請求項３１乃至４２のいずれか１項に記載のプログラム。
【請求項４４】
前記通信装置は、印刷装置であることを特徴とする請求項３１乃至４３のいずれか１項に記載のプログラム。
【請求項４５】
前記所定の操作が行われた時に前記情報処理装置が接続している前記外部アクセスポイントに関する情報が、前記接続設定処理を実行するための所定のアプリケーションが前記情報処理装置において起動している状態で前記通信装置に送信されることを特徴とする請求項３１乃至４４のいずれか１項に記載のプログラム。
【手続補正２】
【補正対象書類名】明細書
【補正対象項目名】０００８
【補正方法】変更
【補正の内容】
【０００８】
そこで、上記目的を達成するために、本発明の制御方法は、通信装置、及び、情報処理装置の外部且つ前記通信装置の外部の外部アクセスポイントと通信する情報処理装置の制御方法であって、前記通信装置の接続設定処理を開始するための所定の操作が行われたことを検知する検知ステップと、前記情報処理装置が、前記外部アクセスポイントと接続している状態で、前記所定の操作が行われた場合、前記所定の操作が行われた時に前記情報処理装置が接続している前記外部アクセスポイントに関する情報を、前記通信装置に無線で送信する送信ステップと、を有し、前記所定の操作が行われた時に前記情報処理装置が接続している前記外部アクセスポイントに関する情報が、前記通信装置に送信された場合、前記通信装置は、前記所定の操作が行われた時に前記情報処理装置が接続している前記外部アクセスポイントとの接続を確立することを特徴とする。